(57)【特許請求の範囲】
【請求項１】
装置本体に取り込んだ投票券に記録されている投票情報および識別情報を読み取る券情報読取部と、
前記券情報読取部で読み取った識別情報を記憶する識別情報記憶部と、
前記券情報読取部で読み取った投票情報から的中券であるかどうかを判定する制御部と、
装置本体に取り込んだ前記投票券を排出または回収する排出／回収部と、を備え、
前記制御部は、前記識別情報記憶部に記憶している識別情報から、装置本体に取り込んだ投票券が既に的中券であるかどうかを判定した判定済みの投票券であるかどうかを判定し、判定済みの投票券でなければ前記排出／回収部に該投票券を排出させ、判定済みの投票券であれば前記排出／回収部に該投票券を回収させる的中判定装置。
【請求項２】
装置本体に取り込んだ投票券に記録されている投票情報および識別情報を読み取る券情報読取部と、
前記券情報読取部で読み取った前記投票情報および識別情報をセンタに送信し、装置本体に取り込んだ前記投票券が的中券であるかどうかの判定を要求するとともに、該センタにおける判定結果を獲得する制御部と、
装置本体に取り込んだ前記投票券を排出または回収する排出／回収部と、を備え、
前記制御部は、前記センタに対して装置本体に取り込んだ投票券が既に的中券であるかどうかの判定を行った判定済みの投票券であるかどうかの判定も要求し、該要求に対する判定結果が判定済みの投票券でなければ前記排出／回収部に該投票券を排出させ、判定済みの投票券であれば前記排出／回収部に該投票券を回収させる的中判定装置。
【請求項３】
装置本体に取り込んだ投票券に記録されている投票情報および識別情報を読み取る券情報読取部と、
前記券情報読取部で読み取った投票情報から的中券であるかどうかを判定する制御部と、
前記制御部における的中券であるかどうかの判定を行った投票券にその旨を示す判定済み情報を記録する判定済み情報記録部と、
装置本体に取り込んだ前記投票券を排出または回収する排出／回収部と、を備え、
前記制御部は、装置本体に取り込んだ投票券に上記判定済み情報が記録されているかどうかにより、該投票券が判定済み投票券であるかどうかを判定し、判定済み投票券でなければ前記排出／回収部に該投票券を排出させ、判定済み投票券であれば前記排出／回収部に該投票券を回収させる的中判定装置。
【請求項４】
前記制御部は、前記投票情報をセンタに送信し、装置本体に取り込んだ前記投票券が的中券であるかどうかの判定を要求し、該センタにおける判定結果を獲得することにより、該投票券が的中券であるかどうかを判定する請求項１または３に記載の的中判定装置。
【請求項５】
前記制御部は、装置本体に取り込んだ投票券が判定済み投票券であると判定すると、該投票券が的中券であるかどうかの判定を前記センタに対して要求しない請求項４に記載の的中判定装置。
【請求項６】
前記制御部が的中券であると判定した場合に、該投票券を回収する請求項１〜５のいずれかに記載の的中判定装置。
【請求項７】
請求項１〜６のいずれかに記載の的中判定装置を適用し、
的中券であると判定した投票券について、前記投票情報に対応する金額の払い戻しを実行する的中金払い戻し部を備えた的中金払戻装置。
【発明の詳細な説明】
【０００１】
【発明の属する技術分野】
この発明は、投票券に記録されている投票情報を読み取って、その投票券が的中券であるかどうかを判定する的中判定装置、および的中券に対して的中金を払い戻す的中金払戻装置に関する。
【０００２】
【従来の技術】
従来、競輪、競馬、競艇等の公営競技のレース結果の予測を投票した投票券（車券、馬券、船券）が的中券であるかどうか（レース結果の予測が的中しているかどうか）を判定し、的中券であれば的中金の払い戻しを実行する的中金払戻装置（所謂トータリゼータ自動払戻機）があった。
【０００３】
的中金払戻装置は、投票者が本体の挿入口に挿入した投票券を本体内部に取り込み、該投票券に記録されているレース結果の予測（以下、投票情報と言う。）や、投票券を識別する識別情報を読み取り、これらの情報をセンタに送信する。
【０００４】
センタは、送信されてきた投票情報から的中券であるかどうかを判定し、的中券であれば、的中金の払い戻しを既に実行した投票券であるかどうかを判定する。センタは、この判定結果を上記投票情報および上記識別情報を送信してきた的中金払戻装置に送信する。
【０００５】
的中金払戻装置は、センタからの上記判定結果が的中金の払い戻しが行われていない的中券であれば、的中金の払い戻しを実行するとともに、的中金の払い戻しを実行したことを示す情報を該投票券に印字し、該投票券を排出する。また、判定結果が、不的中券であった場合、および既に的中金の払い戻しが実行されていた的中券であれば、該投票券を排出する。このように投票券を的中券、不的中券にかかわらず排出するのは、投票券を収集しているコレクタに対するサービスを考慮しているからである。
【０００６】
なお、的中券については回収し、不的中券のみ返却する装置もあった。
【０００７】
【発明が解決しようとする課題】
しかしながら、投票券を収集しているコレクタは一部の人たちであり、コレクタでない多くの人は返却された投票券をその場に投げ捨てていくため、的中金払戻装置周辺に散乱している投票券によるゴミの問題があった。
【０００８】
また、装置周辺に投げ捨てられ、散乱している投票券の中に的中金の払い戻しが実行されていない的中券があることを期待し、装置周辺に散乱している投票券を拾い集めて的中金払戻装置に挿入する人がいた。このため、同じ投票券について的中券であるかどうかの判定を複数回行うことがあり、的中金払戻装置とセンタとの間で無駄な通信が行われ、システムの運用コストを増大させるという問題があった。
【０００９】
また、投げ捨てられた投票券には砂やゴミが付着しており、このような投票券を装置本体に取り込むことが的中金払戻装置の故障の原因ともなっていた。
【００１０】
なお、的中券、不的中券に関係なく装置本体に取り込んだ投票券を回収する装置も提案されているが（特開２００１−５２０９４）、この装置はコレクタに対して投票券を返却することができないという問題がある。
【００１１】
この発明の目的は、投票券を収集しているコレクタに対して投票券が返却でき、また投票券が投げ捨てられるのを防止し、さらには運用コストを低減できる的中券判定装置および、的中金払戻装置を提供することにある。
【００１２】
【課題を解決するための手段】
この発明にかかる的中金判定装置は、上記の課題を解決するために次のように構成されている。
【００１３】
（１）装置本体に取り込んだ投票券に記録されている投票情報および識別情報を読み取る券情報読取部と、
前記券情報読取部で読み取った識別情報を記憶する識別情報記憶部と、
前記券情報読取部で読み取った投票情報から的中券であるかどうかを判定する制御部と、
装置本体に取り込んだ前記投票券を排出または回収する排出／回収部と、を備え、
前記制御部は、前記識別情報記憶部に記憶している識別情報から、装置本体に取り込んだ投票券が既に的中券であるかどうかを判定した判定済みの投票券であるかどうかを判定し、判定済みの投票券でなければ前記排出／回収部に該投票券を排出させ、判定済みの投票券であれば前記排出／回収部に該投票券を回収させる。
【００１４】
この発明で使用される「投票券」とは、競輪、競馬、競艇等の公営競技のレース結果の予測を投票したときに発行される車券、馬券、船券や、Ｊ１リーグおよびＪ２リーグの試合結果を予測したときに発行されるサッカーくじ、さらには宝くじ等である。投票券には、該投票券を識別する識別情報や、投票情報が記録されている。投票情報とは、予想されたレース結果や試合結果、くじ番号等を示す情報である。上記識別情報や投票情報は、券面に数字やバーコードの印刷により記録してもよいし、また券面に形成された磁性層に磁気データで記録してもよいし、さらには投票券に設けた半導体メモリに電子的に記録してもよい。
【００１５】
券情報読取部により、装置本体に取り込んだ投票券に記録されている投票情報や識別情報が読み取られ、ここで読み取った識別情報が識別情報記憶部に記憶される。
【００１６】
制御部は、本体に取り込んだ投票券が的中券であるか、不的中券であるかを判定する。例えば、センタからダウンロードされたレース結果や試合結果、当選番号等を的中投票情報として記憶部に予め記憶しておき、券情報読み取り部が読み取った投票情報と記憶部に記憶している的中投票情報とを比較して判定する。また、制御部は識別情報記憶部に記憶している識別情報から、装置本体に取り込んだ投票券が既に的中券であるかどうかを判定した、判定済み投票券であるかどうかを判定し、判定済み投票券でなければ排出／回収部により該投票券を排出し、反対に判定済みの投票券であれば排出／回収部により該投票券を回収する。
【００１７】
このように、装置本体に初めて取り込まれた投票券は判定済み投票券でないと判定され排出／回収部により排出されるので、投票券を収集しているコレクタが該投票券を持ち帰ることができる。一方、装置本体に初めて取り込まれた投票券でなければ（既に一度本体に取り込まれた投票券であれば）、判定済み投票券であると判定され排出／回収部により回収される。
【００１８】
このため、排出／回収部により排出された投票券を受け取った者が、該投票券を装置本体に再度挿入したときに回収できる。また、投げ捨てられていた投票券（判定済み投票券）を拾った者が該投票券を装置本体に挿入した場合も、該投票券が回収できる。したがって、投票券の投げ捨てによるゴミの問題を改善できる。また、投げ捨てられていた投票券（砂やゴミが付着している投票券）が何度も繰り返し装置本体に挿入されることがないので、装置本体の故障が抑えられる
また、制御部において、的中券であるかどうかを判定する前に、判定済みの投票券であるかどうかを判定し、判定済みの投票券であれば的中券であるかどうかの判定を行わないようにしてもよい。このようにすれば、装置本体における無駄な処理を無くすことができる。
【００１９】
（２）装置本体に取り込んだ投票券に記録されている投票情報および識別情報を読み取る券情報読取部と、
前記券情報読取部で読み取った前記投票情報および識別情報をセンタに送信し、装置本体に取り込んだ前記投票券が的中券であるかどうかの判定を要求するとともに、該センタにおける判定結果を獲得する制御部と、
装置本体に取り込んだ前記投票券を排出または回収する排出／回収部と、を備え、
前記制御部は、前記センタに対して装置本体に取り込んだ投票券が既に的中券であるかどうかの判定を行った判定済みの投票券であるかどうかの判定も要求し、該要求に対する判定結果が判定済みの投票券でなければ前記排出／回収部に該投票券を排出させ、判定済みの投票券であれば前記排出／回収部に該投票券を回収させる。
【００２０】
この構成では、装置本体に取り込んだ投票券から読み出した投票情報および識別情報をセンタに送信し、センタにおいて的中券であるかどうかの判定、および判定済み投票券であるかどうかの判定を行うようにした点で上記（１）と異なるが、上記（１）と同様の効果を奏する。
【００２１】
（３）装置本体に取り込んだ投票券に記録されている投票情報および識別情報を読み取る券情報読取部と、
前記券情報読取部で読み取った投票情報から的中券であるかどうかを判定する制御部と、
前記制御部における的中券であるかどうかの判定を行った投票券にその旨を示す判定済み情報を記録する判定済み情報記録部と、
装置本体に取り込んだ前記投票券を排出または回収する排出／回収部と、を備え、
前記制御部は、装置本体に取り込んだ投票券に上記判定済み情報が記録されているかどうかにより、該投票券が判定済み投票券であるかどうかを判定し、判定済み投票券でなければ前記排出／回収部に該投票券を排出させ、判定済み投票券であれば前記排出／回収部に該投票券を回収させる。
【００２２】
この構成では、判定済み投票券であるかどうかを示す判定済み情報を投票券に記録し、この判定済み情報により判定済み投票券であるかどうかを判定する点で上記（１）と異なるが、上記（１）と同様の効果を奏する。
【００２３】
上記判定済み情報は、判定済み情報記録部により投票券に記録される。
【００２４】
また、この構成によれば投票券を最初に取り込んだ装置と、２度目に取り込んだ装置と、が異なる装置であっても、２度目に取り込んだ装置で該投票券を回収することができる。
【００２５】
（４）前記制御部は、前記投票情報をセンタに送信し、装置本体に取り込んだ前記投票券が的中券であるかどうかの判定を要求するとともに、該センタにおける判定結果を獲得することにより、該投票券が的中券であるかどうかを判定する。
【００２６】
この構成では、上記（２）と同様に的中券であるかどうかの判定がセンタで行行われる。したがって、的中判定装置に、レース結果や試合結果等の的中投票情報を記憶しておく必要がない。このため、装置本体に必要な記憶容量を抑えることができ、本体のコストダウンが図れる。
【００２７】
（５）前記制御部は、装置本体に取り込んだ投票券が判定済み投票券であると判定すると、該投票券が的中券であるかどうかの判定を前記センタに対して要求しない。
【００２８】
この構成では、判定済みの投票券であると判定した場合に、センタに対して的中券であるかどうかの判定を要求しないので、装置本体とセンタとの間で無駄な通信が行われるのを防止でき、運用コストを低減することができる。
【００２９】
（６）前記制御部が的中券であると判定した場合に、該投票券を回収する。
【００３０】
この構成では、装置本体に初めて取り込まれた投票券であっても、該投票券が的中券であれば回収される。これにより、的中券の偽造を防止することができ、セキュリティの向上が図れる。
【００３１】
（７）また、この発明の的中金払戻装置は、上記（１）から（６）のいずれかの的中判定装置を適用し、
的中券であると判定した投票券について、前記投票情報に対応する金額の払い戻しを実行する的中金払い戻し部を備えている。
【００３２】
この構成では、的中券に対して的中金の払い戻しが行える。
【００３３】
【発明の実施の形態】
図１は、この発明の実施形態である的中金払戻装置を使用した的中金払戻システムの概略構成を示す図である。
【００３４】
この的中金払戻システムは、的中金払戻装置１とセンタ２とで構成されている。的中金払戻装置１とセンタ２とは、公衆回線網３を介して接続されている。センタ２には、公衆回線網３を介して複数の的中金払戻装置１が接続されている。
【００３５】
図２（Ａ）は的中金払戻装置の構成を示すブロック図であり、図２（Ｂ）は的中金払戻装置の外観図である。
【００３６】
的中金払戻装置１は、装置本体の動作を制御する制御部１１と、動作時に発生したデータや、利用するデータを記憶する記憶部１２と、本体に取り込んだ投票券に記録されている情報を読み取る読取部１３と、公衆回線網３を介してセンタ２とのデータ通信を制御する通信部１４と、的中金の払い戻しを実行する的中金払戻部１５と、利用者に対して操作方法やメッセージを表示する表示部１６と、本体に取り込んだ投票券を回収または排出する回収／排出部１７と、を備えている。
【００３７】
上記投票券としては、競輪、競馬、競艇等の公営競技のレース結果を予測し投票したときに発行される車券、馬券、船券や、Ｊ１リーグおよびＪ２リーグの試合結果を予測し投票したときに発行されるサッカーくじ、さらには宝くじ等である。この実施形態では、公営競技である競輪のレース結果を予測し投票したときに発行される車券を処理する的中金払戻装置１を例にして以下説明する。
【００３８】
図３は、レース結果を予測し投票したときに発行される投票券（車券）を示す図である。投票券５の券面には、予測対象のレース名や予測した内容が印字されている。また、券面の下端部（図において破線で囲んだバコード領域５ａ）には、予測対象のレース名や予測したレース結果の内容を示す情報（以下、投票情報と言う。）、および投票券５を識別する識別情報がバーコードで記録されている。
【００３９】
なお、上記投票情報は、投票券５の券面に形成された磁性層に磁気データで記録してもよいし、さらには投票券５に設けた半導体メモリに電子的に記録してもよい。
【００４０】
記憶部１２には、センタ２からダウンロードした各レースのレース結果を的中投票情報として記憶する的中投票情報記憶エリア１２ａ、および装置本体に取り込んだ投票券５の識別情報を記憶する判定済み投票券記憶エリア１２ｂが設けられている（図４参照）。
【００４１】
この実施形態の的中金払戻装置１は、本体正面に設けられている挿入口１７ａに挿入された投票券５を本体内部に取り込む搬送路を備えている。図５はこの搬送路を示す概略図である。この搬送路は、本体正面に設けられている挿入口１７ａと排出口１７ｂとをつないでいる。
【００４２】
図において、２１は搬送されている投票券５のバコード領域５ａに記録されている投票情報や、識別情報を読み取る読取センサであり、２２は読取センサ２１により投票情報や、識別情報を読み取った投票券５を一時的に貯留するプール部であり、２３はプール部２２から繰り出された投票券５の搬送方向を切り換えるフラッパである。フラッパ２３の切り換えにより、投票券５はスタッカ２４または排出口１７ｂのどちらかに搬送される。スタッカ２４は回収した投票券５を収納する回収ボックスとして利用される。
【００４３】
図５に示す読取センサ２２以外の構成が排出／回収部１７を構成し、読取センサ２２が読取部１３を構成する。
【００４４】
的中金払戻部１５は、本体に収納されている紙幣を放出する紙幣処理部、および本体に収納されている硬貨を放出する硬貨処理部を有している。図２（Ｂ）に示すように、紙幣放出口１５ａ、および硬貨放出口１５ｂは、装置本体正面に設けられている。紙幣放出口１５ａ、および硬貨放出口１５ｂにはシャッタが設けられている。これらのシャッタは、通常時閉されており、硬貨や紙幣の放出時に開される。装置本体の正面には、表示部１６も設けられている。
【００４５】
また、センタ２には発行された投票券５ごとに、図６に示す情報が記憶されている。該投票券が発行された投票時刻、および投票年月日、レースの主催者を識別する主催者コード、レースが行われる競技場を識別する競技場コード、該投票券を発行した装置を識別する機械番号、該投票券を識別する識別情報、偽造された投票券５であるかどうかを識別するためのシークレットコード、投票内容を示す投票情報、的中金の払戻時刻を示す払い戻し時刻、的中金の払い戻し結果を示す払戻結果、払戻金額を示す払戻合計金額、的中判定を行ったかどうかを示す問い合わせフラグ、および的中金の払い戻しを行ったかどうかを示す払戻済みフラグを記憶している（図６参照）。図６に示す１〜８の項目は投票券５の発行時に記憶され、図６に示す９〜１３の項目は的中金の払い戻し等が行われた時に記憶される。
【００４６】
以下、この実施形態の的中金払戻装置１の動作について説明する。
【００４７】
図７はこの実施形態の的中金払戻装置の動作を示すフローチャートであり、図８はセンタの動作を示すフローチャートである。
【００４８】
的中金払戻装置１は、挿入口１７ａに投票券５が挿入されたことを検出するセンサ（不図示）が設けられており、該センサにより投票券５が挿入されたことを検出すると（ｓ１）、挿入口１７ａに挿入された投票券５をプール部２２に向けて搬送する。挿入口１７ａとプール部２２との間には、読取センサ２１が配置されている。この読取センサ２１がプール部２２へ搬送されている投票券５のバコード領域５ａに記録されている投票情報および識別情報を読み取る（ｓ２）。この投票券５はプール部２２に一時貯留される。
【００４９】
制御部１１は、該投票券５が判定済み投票券であるかどうかを判定する（ｓ３）。具体的には、読取センサ２２が読み取った識別情報と一致する識別情報が判定済み投票券記憶エリア１２ｂに記憶されていれば、判定済み投票券であると判定し、記憶されていなければ未判定の投票券であると判定する。ｓ３で未判定の投票券であると判定すると、ｓ２で読み取った識別情報を判定済み投票券記憶エリア１２ｂに記憶する（ｓ４）。これにより、判定済み投票券記憶エリア１２ｂには、本体に取り込んだ投票券５の識別情報が記憶される。
【００５０】
また、ｓ３で判定済みの投票券であると判定すると、プール部２２に貯留している投票券５を繰り出し、フラッパ２３を制御して該投票券５をスタッカ２４へ搬送し、回収する（ｓ１３）。
【００５１】
制御部１１は、ｓ４で判定済み投票券記憶エリア１２ｂに識別情報を記憶した投票券５が的中券であるかどうかを判定する（ｓ５）。的中金払戻装置１には、予めセンタ２から各レースのレース結果がダウンロードされている。的中金払戻装置１は、このレース結果を的中投票情報として的中投票情報記憶エリア１２ａに記憶している。制御部１１は、ｓ２で投票券５から読み取った投票情報と、的中投票情報記憶エリア１２ａに記憶している的中投票情報とを比較し、的中券であるかどうかを判定する。
【００５２】
的中金払戻装置１は、ｓ５で的中券であると判定すると、センタ２に対して的中金の払い戻しが既に実行された払戻済みの的中判定（払戻済み判定）を要求し（ｓ６）、センタ２からの判定結果を待つ（ｓ７）。ｓ６では、ｓ２で読み取った投票情報および識別情報がセンタ２に送信される。
【００５３】
センタ２は、的中金払戻装置１から払戻済み判定の要求があると（ｓ２１）、この要求に含まれている識別情報で識別される投票券５について的中金の払い戻しが行われているかどうかを判定する（ｓ２２）。センタ２は、該当する投票券５の図６に示す情報に基づいてｓ２２の判定を行い、的中金の払い戻しが行われていないと判定した場合、図６に示す情報を更新する（ｓ２３）。例えば、ｓ２２で的中金の払い戻しが行われていないと判定した場合、払戻時刻、払戻結果、払戻合計金額、問い合わせフラグ、払戻済みフラグを更新する。その後、センタ２はｓ２２の判定結果を的中金払戻装置１に送信し（ｓ２４）、ｓ２１に戻る。
【００５４】
なお、ｓ２２の判定は的中金払戻装置１から送信されてきた投票情報と、センタ２で記憶している投票情報（図６に示す１〜８の情報）とが一致しているかどうかにより、偽造された投票券５であるかどうかを判定している。
【００５５】
的中金払戻装置１は、センタ２からの判定結果を受信すると、ｓ８以降の処理を実行する。
【００５６】
的中金払戻装置１は、センタ２からの判定結果が的中金の払い戻しが既に行われている的中券であるとするものであれば、プール部２２に貯留している投票券５を繰り出し、フラッパ２３を制御して、該投票券５をスタッカ２４に搬送し、回収する（ｓ１３）。反対に、センタ２からの判定結果が的中券の支払いが行われていない的中券であるとするものであれば、的中金額を算出し（ｓ９）、的中金払戻部１５において的中金の払い戻しを行う（ｓ１０）。的中金の払い戻しは、ｓ９で算出された的中金額に相当する紙幣および硬貨を紙幣放出口１５ａおよび硬貨放出口１５ｂへ搬送し、これらの放出口に設けられているシャッタを開する処理である。
【００５７】
さらに、的中金払戻装置１は上記処理が完了すると、プール部２２に貯留している投票券５を繰り出し、フラッパ２３を制御して該投票券５を排出口１７ｂへ搬送し（ｓ１１）、的中金払戻装置１の利用者に投票券５を返却する。
【００５８】
ｓ５で的中券でないと（不的中券であると）判定した場合には、上記ｓ６からｓ１１にかかる処理を実行することなく、ｓ１１にジャンプし投票券５を利用者に返却する。したがって、的中金払戻装置１とセンタ２との間における無駄な通信が抑えられ、システムの運用にかかるコストを低減することができる。
【００５９】
的中金払戻装置１は、上記ｓ１１またはｓ１３の処理が完了すると、表示部１６に処理結果を一定時間表示し（ｓ１２）、ｓ１に戻る。
【００６０】
図９〜図１１はｓ１２で表示部１６に表示される画面例を示す図である。
【００６１】
図９は、本体に取り込んだ投票券５が的中金の払い戻しが行われていない的中券であった場合、表示部１６に表示される画面を示している。表示部１６には、投票券５の投票情報や、的中金額等が表示される。また、返却された投票券５が不要であれば、投げ捨てないで再度本体の挿入口１７ａに挿入することを促すメッセージを表示している。
【００６２】
図１０は、初めて本体に取り込んだ投票券５が不的中券であった場合、表示部１６に表示される画面を示している。表示部１６には、投票券５の投票情報や、不的中であることを示すメッセージが表示される。また、返却された投票券５が不要であれば、投げ捨てないで再度本体の挿入口１７ａに挿入することを促すメッセージを表示している。
【００６３】
図１１は、本体に取り込んだ投票券５が不的中券であり、且つ既に一度取り込んだことがある投票券５であった場合、表示部１６に表示される画面を示している。表示部１６には、投票券５の投票情報や、不的中であること、さらには投票券５を回収したこと示すメッセージが表示される。
【００６４】
このように、この実施形態の的中金払戻装置１は、初めて本体に取り込んだ投票券５（未判定の投票券５）については、ｓ１１で排出口１７ｂへ搬送し、利用者に返却する。したがって、投票券５を収集しているコレクタから、投票券５を勝手に回収することがない。
【００６５】
反対に、既に一度本体に取り込んだことがある判定済みの投票券５については、スタッカ２４へ搬送し回収するので、投票券５の投げ捨てによるゴミ問題を改善することができる。また、投げ捨てられていた投票券５（砂やゴミが付着している投票券５）が何度も繰り返し的中金払戻装置１に挿入されることがないので、装置本体の故障を抑えられる。また、的中金払戻装置１は投票券５が不適中券であると判定するとセンタ２との通信を行わないので、的中金払戻装置１とセンタ２との間における無駄な通信が抑えられ、運用コストを低減することができる。
【００６６】
また、的中金払戻装置１は、的中券であると判定した場合、センタ２で的中金の払戻済みであるかどうかを確認するようにしているので、別の的中金払戻装置１で的中金の払戻を受けた投票券５や、偽造された投票券に対して、的中金を払い戻すこともない。
【００６７】
さらに、的中金払戻装置１は、利用者に投票券５を返却したとき、返却された投票券５が不要であれば、投げ捨てないで再度本体の挿入口１７ａに挿入することを促すメッセージを表示するようにしたので、利用者による投票券５の投げ捨てが防止でき、投げ捨てられ散乱している投票券５によるゴミ問題の一層の改善が図れる。
【００６８】
次に、この発明の別の実施形態にかかる的中金払戻装置について説明する。この実施形態にかかる的中金払戻装置１の構成は上記実施形態の装置と略同じであるが、記憶部１２に図４に示した的中投票情報記憶エリア１２ａおよび判定済み投票券記憶エリア１２ｂを有していない点で上記実施形態の装置と異なる。
【００６９】
この相違点により、この実施形態の的中金払戻装置１は記憶部１２に必要な記憶容量が抑えられ、上記実施形態の装置よりも安価である。
【００７０】
次に、この発明の実施形態の的中金払戻装置１の動作について説明する。ここでは、上記実施形態の的中金払戻装置１と同じ動作については簡単に説明する。
【００７１】
図１２はこの実施形態の的中金払戻装置の動作を示すフローチャートであり、図１３はセンタの動作を示すフローチャートである。
【００７２】
なお、図１２では図７に示した処理と同じ処理に同じステップ番号（ｓ*）を付している。
【００７３】
的中金払戻装置１は、挿入口１３ａに投票券５が挿入されたことを検出すると（ｓ１）、該投票券５から投票情報および識別情報読み取る（ｓ２）。的中金払戻装置１はｓ２で読み取った投票情報および識別情報を含む判定要求をセンタ２に送信し（ｓ３１）、センタ２からの判定結果を待つ（ｓ３２）。
【００７４】
なお、挿入口１７ａに挿入され、本体に取り込んだ投票券５はプール部２２に一時貯留される。
【００７５】
ｓ３１では、既に的中券であるかどうかを判定したことがある投票券５であるかどうか、また的中券であるかどうかを判定したことがない投票券５であれば的中判定をセンタ２に要求している。
【００７６】
センタ２は、的中金払戻装置１からの判定要求があると（ｓ４１）、まず既に的中券であるかどうかを判定したことがある投票券５であるかどうかを判定する（ｓ４２）。センタ２は、該当する投票券５の図６に示す情報に基づいてｓ４２の判定を行い、的中券であるかどうかを判定したことがない投票券５であれば、該投票券５についてさらに的中券であるかどうかを判定する（ｓ４３）。
【００７７】
センタ２は、上記ｓ４３の判定を行うと、ｓ４４で該投票券５について図６に示す情報を更新し（ｓ４４）、判定結果を的中金払戻装置１に送信する（ｓ４５）。
【００７８】
的中金払戻装置１は、既に的中券であるかどうかを判定した投票券５であれば、プール部２２に貯留している投票券５を繰り出し、フラッパ２３を制御してスタッカ２４に回収する（ｓ３３、ｓ１３）。また、的中券であれば、的中金額を算出し（ｓ３４、ｓ９）、ここで算出した的中金額に相当する紙幣および硬貨を放出することにより、的中金額を払い戻す（ｓ１０）。さらに、的中金払戻装置１は、プール部２２に貯留している投票券５を繰り出し、フラッパ２３を制御して排出口１７ｂに搬送する（ｓ１１）。
【００７９】
的中金払戻装置１は上記処理が完了すると、上記実施形態の装置と同様に、表示部１６に図９〜図１１に示すいずれかの画面を表示し（ｓ１２）、ｓ１に戻る。
【００８０】
このように、この実施形態の的中金払戻システムは、既に的中判定を行った投票券５であるかどうかをセンタ２で判定するようにしたので、的中金払戻装置１の記憶部１２に的中投票情報記憶エリア１２ａおよび判定済み投票券記憶エリア１２ｂを設けなくても良い。このため、記憶部１２の記憶容量を抑えることができ、安価にできる。
【００８１】
また、この実施形態の的中金払戻装置１は上記実施形態の装置と同様の効果を奏する。
【００８２】
さらに、この発明の別の実施形態について説明する。この実施形態の的中金払戻装置１は、上記実施形態の装置と略同じ構成であるが、図１４に示すように本体に投票券５を取り込む搬送路にスタンプ３１を設けている点、および記憶部１２に的中投票情報記憶エリア１２ａおよび判定済み投票券記憶エリア１２ｂを備えていない点で相違する。スタンプ３１は、プール部２２とフラッパ２３との間に設けられている。
【００８３】
図１５はこの実施形態の的中金払戻装置の動作を示すフローチャートであり、図１６はセンタの動作を示すフローチャートである。
【００８４】
なお、図１５では図７に示した処理と同じ処理に同じステップ番号（ｓ*）を付している
さらに、この実施形態のシステムで使用される投票券５には、既に的中判定を行ったかどうかを示す情報（以下、的中判定情報と言う。）も記録されている。
【００８５】
以下、この実施形態の的中金払戻システムの動作について説明する。
【００８６】
的中金払戻装置１は、挿入口１３ａに投票券５が挿入されたことを検出すると（ｓ１）、該投票券５から投票情報および識別情報読み取る（ｓ５１）。的中金払戻装置１はｓ２で読み取った投票情報、識別情報、および的中判定情報を読み取る。
【００８７】
投票券５の発行時には、的中判定が行われていないことを示す的中判定情報が該投票券５にバーコード等で記録されている。
【００８８】
なお、挿入口１７ａに挿入され、本体に取り込んだ投票券５はプール部２２に一時貯留される。
【００８９】
的中金払戻装置１は、ここで読み取った的中判定情報から的中判定を行った投票券５であるかどうかを判定する（ｓ５２）。投票判定を行った的中券であると判定すると、該投票券５をプール部２２から繰り出し、フラッパ２３を制御してスタッカ２４に回収する（ｓ１３）。
【００９０】
反対に、的中判定を行っていない投票券５であると判定すると、ｓ５２で読み取った投票情報、および識別情報を含む払戻済み判定の要求をセンタ２に送信し（ｓ５３）、センタ２からの判定結果を待つ（ｓ５４）。
【００９１】
センタ２は、的中金払戻装置１からの判定要求があると（ｓ６１）、該投票券５についてさらに的中券であるかどうかを判定し（ｓ６２）、この判定結果を的中金払戻装置１に送信する（ｓ６３）。
【００９２】
なお、ｓ２２の判定は的中金払戻装置１から送信されてきた投票情報と、センタ２で記憶している投票情報（図６に示す１〜８の情報）とが一致しているかどうかにより、偽造された投票券５であるかどうかも判定している。
【００９３】
的中金払戻装置１は、センタ２からの判定結果が的中券であれば（ｓ５５）、的中金額を算出し（ｓ９）、ここで算出した的中金額に相当する紙幣および硬貨を放出しすることにより的中金額の払い戻しを行い（ｓ１０）、プール部２２に貯留している投票券５を繰り出す。
【００９４】
的中金払戻装置１は、プール部２２から繰り出された投票券５に対して、的中判定を行ったことを示す情報を記録する（ｓ５６）。具体的には、スタンプ３１により的中判定を行ったことを示すバーコードを印字する。
【００９５】
挿入口１７ａに挿入された投票券５が、すでに的中判定を行ったものであれば、その旨を示すバーコードが印字されている。的中金払戻装置１は、上記ｓ５２において、このバーコードが印字されている投票券５を的中判定済みと判定し、印字されていない投票券５を的中判定済みでない投票券５であると判定する。
【００９６】
的中金払戻装置１は上記ｓ５６の処理が完了すると、フラッパ２３を制御して該投票券５を排出口１７ｂへ搬送する（ｓ１１）。
【００９７】
的中金払戻装置１は上記処理が完了すると、上記実施形態の装置と同様に、表示部１６に図９〜図１１に示すいずれかの画面を表示し（ｓ１２）、ｓ１に戻る。
【００９８】
このように、この実施形態では的中判定を行ったかどうかを示す情報を、投票券５に記録するようにしたので、この投票券５が挿入された最初の装置と、２度目の装置とが異なる装置であっても、この２度目の装置において投票券を回収することができる。
【００９９】
また、上記実施形態では、装置本体に初めて取り込んだ投票券であれば、該投票券が的中券であっても排出し利用者に返却するとしたが、装置本体に初めて取り込んだ投票券であっても的中券であれば排出せずに、回収するようにしてもよい。このようにすれば、的中券の偽造が防止でき、セキュリティの向上が図れる。
【０１００】
なお、上記実施形態では、投票券５は投票情報や識別情報をバーコードで記録したものであるとしたが、券面に形成した磁性層に磁気データで記録したものであってもよいし、また投票券５に設けたＩＣに記憶したものであってもよい。
【０１０１】
また、上記実施形態では、最初の的中判定を行った投票券５については、的中券、不的中券に関係なく、排出口１７ａに搬送し、返却するとしたが。
【０１０２】
さらに、上記実施形態では、的中券であると判定したときに、センタ２で的中金額を算出するとしたが、的中金払戻装置１で的中金額を算出するようにしてもよい。
【０１０３】
【発明の効果】
この発明によれば、投票券を収集しているコレクタに対して投票券を返却することができ、且つ投票券を収集していない者から投票券を回収することができる。したがって、投票券の投げ捨てによるゴミ問題を改善できる。また、投げ捨てられ、砂やゴミが付着している投票券を何度も繰り返し装置本体に取り込むことがないので、装置本体の故障が抑えられる
【図面の簡単な説明】
【図１】この発明の実施形態である的中金払戻装置が使用されるシステムの概略構成図である。
【図２】的中金払戻装置の構成および外観を示す図である。
【図３】車券を示す図である。
【図４】的中金払戻装置の記憶部の構成を示す図である。
【図５】的中金払戻装置の本体内部に形成されている投票券の搬送路を示す図ある。
【図６】センタに記憶されている情報を示す図である。
【図７】この発明の実施形態である的中金払戻装置の動作を示すフローチャートである。
【図８】センターの動作を示すフローチャートである。
【図９】この発明の実施形態である的中金払戻装置の表示部における表示画面例を示す図である。
【図１０】この発明の実施形態である的中金払戻装置の表示部における表示画面例を示す図である。
【図１１】この発明の実施形態である的中金払戻装置の表示部における表示画面例を示す図である。
【図１２】この発明の別の実施形態である的中金払戻装置の動作を示すフローチャートである。
【図１３】センターの動作を示すフローチャートである。
【図１４】的中金払戻装置の本体内部に形成されている投票券の搬送路を示す図ある。
【図１５】この発明の別の実施形態である的中金払戻装置の動作を示すフローチャートである。
【図１６】センターの動作を示すフローチャートである。
【符号の説明】
１−的中金払戻装置
２−センタ
１１−制御部
１２−記憶部
１２ａ−的中投票情報記憶エリア
１２ｂ−判定済み投票券記憶エリア
１３−読取部
１４−通信部
１５−的中金払戻部
１６−表示部
１７−回収／排出部
【図１】
0003885530.tif 000002
【図２】
0003885530.tif 000003
【図３】
0003885530.tif 000004
【図４】
0003885530.tif 000005
【図５】
0003885530.tif 000006
【図６】
0003885530.tif 000007
【図７】
0003885530.tif 000008
【図８】
0003885530.tif 000009
【図９】
0003885530.tif 000010
【図１０】
0003885530.tif 000011
【図１１】
0003885530.tif 000012
【図１２】
0003885530.tif 000013
【図１３】
0003885530.tif 000014
【図１４】
0003885530.tif 000015
【図１５】
0003885530.tif 000016
【図１６】
0003885530.tif 000017